【手続補正書】
【提出日】平成19年1月22日(2007.1.22)
【手続補正１】
【補正対象書類名】明細書
【補正対象項目名】特許請求の範囲
【補正方法】変更
【補正の内容】
【特許請求の範囲】
【請求項１】    ＲＦトランシーバ回路を制御するインタフェースを備えた装置であって、
前記インタフェースは、
送信モードおよび受信モードからなるトランシーバの動作モードを変更する制御情報を供給して前記ＲＦトランシーバ回路を制御する複数のコネクタと、
少なくとも第１および第２のコネクタとをさらに備え、
第１モードにおいて、前記第１および第２コネクタのうちの一方が前記トランシーバにデータを送信し、もう一方が第１の機能を実行するように動作可能であり、第２モードにおいて、前記第１および第２コネクタの一方が前記ＲＦトランシーバからデータを受信し、もう一方が異なる第２の機能を実行するように動作可能であることを特徴とする装置。
【請求項２】    請求項１に記載の装置において、
前記第１の機能が前記トランシーバへの第１制御信号の供給機能であることを特徴とする装置。
【請求項３】    請求項２に記載の装置において、
前記第１制御信号がタイム・クリティカルな制御信号であることを特徴とする装置。
【請求項４】    請求項１乃至３の何れかに記載の装置において、
前記第１の機能が前記トランシーバの送信部にある電力増幅器の制御機能であることを特徴とする装置。
【請求項５】    請求項１乃至４の何れかに記載の装置において、
前記第２の機能が前記トランシーバへの第２制御信号の供給機能であることを特徴とする装置。
【請求項６】    請求項５に記載の装置において、
前記第２制御信号がタイム・クリティカルな制御信号であることを特徴とする装置。
【請求項７】    請求項１乃至６の何れかに記載の装置において、
前記第２の機能が前記トランシーバの受信部によって受信されたデータのＤＣ推算を制御する機能であることを特徴とする装置。
【請求項８】    請求項１乃至４の何れかに記載の装置において、
前記第２の機能が前記トランシーバからのデータ受信機能であることを特徴とする装置。
【請求項９】    請求項１乃至８の何れかに記載の装置において、
前記第１コネクタが双方向的であり、前記第１モードにおいてデータ送信を行い、前記第２モードにおいてデータ受信を行うことを特徴とする装置。
【請求項１０】  請求項１乃至９の何れかに記載の装置において、
前記所定のタイム・クリティカルな制御信号を前記複数のコネクタを介さずに供給することを特徴とする装置。
【請求項１１】  請求項１乃至１０の何れかに記載の装置において、
前記第１モードが前記トランシーバの送信モードであることを特徴とする装置。
【請求項１２】  請求項１乃至１１の何れかに記載の装置において、
前記第２モードが前記トランシーバの受信モードであることを特徴とする装置。
【請求項１３】  請求項１乃至１２の何れかに記載の装置において、
前記複数のコネクタが、前記装置との間でデータ送受信を行うためのコネクタと、前記装置からのイネーブル信号を供給するためのコネクタと、前記装置からのクロック信号を供給するためのコネクタとからなることを特徴とする装置。
【請求項１４】  請求項１乃至１３の何れかに記載の装置において、
前記複数のコネクタを使用して前記トランシーバのレジスタと読取りおよび書込みアクセスを行うことを特徴とする装置。
【請求項１５】  請求項１乃至１４の何れかに記載の装置において、
前記複数のコネクタが、それを介してデータを逐次的に転送する少なくとも１つのコネクタを備えたシリアルインタフェースであり、前記データは装置アドレス、前記データを書込むべきかあるいは読取るべきかを知らせるビット、ローカル・アドレスおよび可変データ部分とからなることを特徴とする装置。
【請求項１６】  請求項１乃至１５の何れかに記載の装置において、
第１制御回路およびプロセッサをさらに備え、前記第１制御回路が前記複数のコネクタおよび／または前記第１および第２コネクタを介して前記ＲＦ回路を制御し、前記プロセッサが前記複数のコネクタのみを介して前記ＲＦ回路を制御することを特徴とする装置。
【請求項１７】  請求項１５に記載の装置において、
前記データ部分が１から３２ビットの間で変化する長さを有することを特徴とする装置。
【請求項１８】  請求項１乃至１７の何れかに記載の装置において、
前記複数のコネクタが少なくとも１つの他の装置に接続することを特徴とする装置。
【請求項１９】  請求項１乃至１８の何れかに記載の装置において、
前記トランシーバからクロック信号を受信するコネクタをさらに備えることを特徴とする装置。
【請求項２０】  請求項１乃至１９の何れかに記載の装置において、
前記トランシーバの構成装置をパワーダウンさせる第３コネクタ（スリープＸ）を備えることを特徴とする装置。
【請求項２１】  ベースバンド回路を備えた装置に接続するためのインタフェースを備えたトランシーバ回路であって、
前記インタフェースは、
送信モードおよび受信モードからなるトランシーバの動作モードを変更するための制御情報を供給する複数のコネクタと、
少なくとも第１および第２のコネクタとを備え、
第１モードにおいて、データを前記第１および第２コネクタのうちの一方において受信し、もう一方が第１の機能を実行し、第２モードにおいて、前記装置に送信するためにデータを前記第１および第２コネクタの一方に供給し、もう一方が前記第１の機能とは異なる第２の機能を実行することを特徴とするトランシーバ回路。
【請求項２２】  請求項２１に記載のトランシーバ回路において、
電力増幅器を備え、
前記第１の機能が前記電力増幅器を制御するための第１制御信号の受信機能であることを特徴とするトランシーバ回路。
【請求項２３】  請求項２１又は２２に記載のトランシーバ回路において、
ＤＣ推算回路を備え、
前記第２の機能が前記ＤＣ推算回路を制御するための第２の異なる制御信号の受信機能であることを特徴とするトランシーバ回路。
【請求項２４】  請求項２１又は２２に記載のトランシーバ回路において、
前記第２の機能が受信データの供給機能であることを特徴とするトランシーバ回路。
【請求項２５】  ベースバンド回路を備えた装置とトランシーバ回路とを接続する方法であって、
前記装置は、前記トランシーバが送信モードにあるのかあるいは受信モードにあるのかを制御する手段および第１および第２コネクタを備え、
前記トランシーバが前記送信モードに入るのを制御するステップと、
データを前記装置から前記トランシーバへ前記第１コネクタを介して供給するステップと、
前記トランシーバの電力増幅器を前記第２コネクタを介して制御するステップとからなることを特徴とする方法。
【請求項２６】  ベースバンド・エンジンを備えた装置とトランシーバとを接続する方法であって、
前記装置は、前記トランシーバが送信モードにあるのかあるいは受信モードにあるのかを制御する手段および第１および第２コネクタを備え、
前記トランシーバが前記受信モードに入るのを制御するステップと、
前記トランシーバからのデータを前記第１コネクタを介して前記装置において受信するステップと、
前記トランシーバのＤＣ推算回路を前記第２コネクタを介して制御するステップとからなることを特徴とする方法。
【請求項２７】  コネクタを備えたインタフェースであって、
前記コネクタは、タイム・クリティカルな機能を制御するための信号を送信する第１コネクタと、データ送信を行う第２コネクタとからなり、
前記タイム・クリティカルな機能は、前記第２コネクタがデータの受信中であるかあるいは送信中であるかによって決まることを特徴とするインタフェース。
【請求項２８】  送信モードおよび受信モードからなるトランシーバの動作モードを変更する制御情報を供給して複数のコネクタを介してＲＦトランシーバ回路を制御するステップからなる方法であって、
第１モードにおいて、前記方法は、
第１および第２コネクタのうちの一方が前記トランシーバにデータを送信するステップと、
前記第１および第２コネクタのうちのもう一方が第１の機能を実行するステップと、を含み、
第２モードにおいて、前記方法は、
前記第１および第２コネクタの一方が前記ＲＦトランシーバからデータを受信するステップと、
前記第１および第２コネクタのうちのもう一方が異なる第２の機能を実行するステップと、を含むことを特徴とする方法。
【請求項２９】  請求項２８に記載の方法において、
前記第１の機能が前記トランシーバへの第１制御信号の供給機能であることを特徴とする方法。
【請求項３０】  請求項２９に記載の方法において、
前記第１制御信号がタイム・クリティカルな制御信号であることを特徴とする方法。
【請求項３１】  請求項２８乃至３０の何れかに記載の方法において、
前記第１の機能が前記トランシーバの送信部にある電力増幅器の制御機能であることを特徴とする方法。
【請求項３２】  請求項２８乃至３１の何れかに記載の方法において、
前記第２の機能が前記トランシーバへの第２制御信号の供給機能であることを特徴とする方法。
【請求項３３】  請求項２８乃至３２の何れかに記載の方法において、
前記第２制御信号がタイム・クリティカルな制御信号であることを特徴とする方法。
【請求項３４】  請求項２８乃至３３の何れかに記載の方法において、
前記第２の機能が前記トランシーバの受信部によって受信されたデータのＤＣ推算を制御する機能であることを特徴とする方法。
【請求項３５】  請求項２８乃至３４の何れかに記載の方法において、
前記第２の機能が前記トランシーバからのデータ受信機能であることを特徴とする方法。
【請求項３６】  請求項２８乃至３５の何れかに記載の方法において、
前記第１コネクタが双方向的であり、前記第１モードにおいてデータ送信を行い、前記第２モードにおいてデータ受信を行うことを特徴とする方法。
【請求項３７】  請求項２８乃至３６の何れかに記載の方法において、
前記所定のタイム・クリティカルな制御信号を前記複数のコネクタを介さずに供給することを特徴とする方法。
【請求項３８】  請求項２８乃至３７の何れかに記載の方法において、
前記第１モードが前記トランシーバの送信モードであることを特徴とする方法。
【請求項３９】  請求項２８乃至３８の何れかに記載の方法において、
前記第２モードが前記トランシーバの受信モードであることを特徴とする方法。
【請求項４０】  請求項２８乃至３９の何れかに記載の方法において、
前記複数のコネクタの１つを介して、データを送信するステップと、前記複数のコネクタの１つからイネーブル信号を供給するステップと、前記複数のコネクタの１つからクロック信号を供給するステップと、からなることを特徴とする方法。
【請求項４１】  請求項２８乃至４０の何れかに記載の方法において、
前記複数のコネクタを使用して前記トランシーバのレジスタと読取りおよび書込みアクセスを行うことを特徴とする方法。
【請求項４２】  請求項２８乃至４１の何れかに記載の方法において、
前記複数のコネクタが、それを介してデータを逐次的に転送する少なくとも１つのコネクタを備えたシリアルインタフェースであり、前記データは装置アドレス、前記データを書込むべきかあるいは読取るべきかを知らせるビット、ローカル・アドレスおよび可変データ部分とからなることを特徴とする方法。
【請求項４３】  請求項２８乃至４２の何れかに記載の方法において、前記第１制御回路が前記複数のコネクタおよび／または前記第１および第２コネクタを介して前記ＲＦ回路を制御するステップと、プロセッサが前記複数のコネクタのみを介して前記ＲＦ回路を制御するステップと、からなることを特徴とする方法。
【請求項４４】  請求項４２に記載の方法において、
前記データ部分が１から３２ビットの間で変化することを特徴とする方法。
【請求項４５】  請求項２８乃至４４の何れかに記載の方法において、
前記複数のコネクタが少なくとも１つの他の装置に接続することを特徴とする方法。
【請求項４６】  請求項２８乃至４５の何れかに記載の方法において、
前記トランシーバからクロック信号を受信するステップからなることを特徴とする方法。
【請求項４７】  請求項２８乃至４６の何れかに記載の方法において、
前記トランシーバの構成装置をパワーダウンさせるステップからなることを特徴とする方法。
【請求項４８】  複数のコネクタを介して送信モードおよび受信モードからなるトランシーバの動作モードを変更する制御情報を供給するステップからなる方法であって、
第１モードにおいて、前記方法は、第１および第２コネクタのうちの一方がデータを受信するステップと、前記第１および第２コネクタのうちのもう一方が第１の機能を実行するステップと、からなり、
第２モードにおいて、前記方法は、前記第１および第２コネクタの一方がデータを供給するステップと、前記第１および第２コネクタのうちのもう一方が前記第１の機能と異なる第２の機能を実行するステップと、からなることを特徴とする方法。
【請求項４９】  請求項４８に記載の方法において、
前記第１の機能が電力増幅器を制御するための第１制御信号の受信機能であることを特徴とする方法。
【請求項５０】  請求項４８又は４９に記載の方法において、
前記第２の機能がＤＣ推算回路を制御するための第２の異なる制御信号の受信機能であることを特徴とする方法。
【請求項５１】  請求項４８乃至５０の何れかに記載の方法において、
前記第２の機能が受信データの供給機能であることを特徴とする方法。
【請求項５２】  請求項４９に記載の方法において、
前記第２の機能が受信データの供給機能であることを特徴とする方法。
【請求項５３】  ベースバンド回路を備えた装置とトランシーバ回路とを接続する方法であって、
前記トランシーバが送信モードに入るのを制御するステップと、
前記送信モードにおいてデータを前記装置から前記トランシーバへ第１コネクタを介して供給するステップと、
前記送信モードにおいて前記トランシーバの構成装置を第２コネクタを介して制御するステップと、
前記トランシーバが受信モードに入るのを制御するステップと、
前記装置が前記受信モードにおいて前記トランシーバからのデータを前記第１コネクタを介して受信するステップと、
前記受信モードにおいて前記トランシーバの機能を前記第２コネクタを介して制御するステップと、からなることを特徴とする方法。
【請求項５４】  請求項５３に記載の方法において、
前記トランシーバの構成装置が電力増幅器であることを特徴とする方法。
【請求項５５】  請求項５３または５４に記載の方法において、
前記トランシーバの機能はDC推算であることを特徴とする方法。
【請求項５６】  請求項５３乃至５５の何れかに記載の方法において、
前記第１コネクタが双方向的であり、前記第１モードにおいてデータ送信を行い、前記第２モードにおいてデータ受信を行うことを特徴とする方法。
【請求項５７】  ＲＦトランシーバ回路を制御するインタフェースを備える装置であって、
送信モードおよび受信モードからなるトランシーバの動作モードを変更する制御情報を供給し前記ＲＦトランシーバ回路を制御する手段と、
第１コネクタ手段および第２コネクタ手段とからなり、第１モードにおいて、前記第１および第２コネクタ手段のうちの一方が前記トランシーバにデータを送信し、前記第１および第２コネクタ手段のうちのもう一方が第１の機能を実行し、第２モードにおいて、前記第１および第２コネクタ手段の一方が前記ＲＦトランシーバ回路からデータを受信し、前記第１および第２コネクタ手段のうちのもう一方が異なる第２の機能を実行する、ことを特徴とする装置。
【請求項５８】  ベースバンド回路を備える装置と接続するためのインタフェースを備えるトランシーバ回路であって、
前記インタフェースは、
送信モードおよび受信モードからなるトランシーバの動作モードを変更する制御情報を供給する手段と、
第１コネクタ手段および第２コネクタ手段とからなり、第１モードにおいて、前記第１および第２コネクタ手段のうちの一方がデータを受信し、前記第１および第２コネクタ手段のうちのもう一方が第１の機能を実行し、第２モードにおいて、前記第１および第２コネクタ手段の一方が前記装置に送信のためデータを供給し、前記第１および第２コネクタ手段のうちのもう一方が前記第１の機能と異なる第２の機能を実行する、ことを特徴とするトランシーバ回路。
【請求項５９】  ＲＦトランシーバ回路を制御するインタフェースであって、
前記インタフェースは、
送信モードおよび受信モードからなるトランシーバの動作モードを変更する制御情報を供給して前記ＲＦトランシーバ回路を制御する複数のコネクタと、
第１コネクタおよび第２コネクタとからなり、第１モードにおいて、前記第１および第２コネクタのうちの一方が前記トランシーバにデータを送信し、前記第１および第２コネクタのうちのもう一方が第１の機能を実行するように動作可能であり、第２モードにおいて、前記第１および第２コネクタの一方が前記ＲＦトランシーバ回路からデータを受信し、前記第１および第２コネクタのうちのもう一方が異なる第２の機能を実行するように動作可能である、ことを特徴とするインタフェース。
【請求項６０】  ベースバンド回路を備える装置と接続するためのインタフェースであって、
前記インタフェースは、
送信モードおよび受信モードからなるトランシーバの動作モードを変更する制御情報を供給する複数のコネクタと、
第１コネクタおよび第２コネクタとからなり、第１モードにおいて、前記第１および第２コネクタのうちの一方がデータを受信し、前記第１および第２コネクタのうちのもう一方が第１の機能を実行し、第２モードにおいて、前記第１および第２コネクタの一方が前記装置に送信のためデータを供給し、前記第１および第２コネクタのうちのもう一方が前記第１の機能と異なる第２の機能を実行する、ことを特徴とするインタフェース。